(57)【特許請求の範囲】
【請求項１】
着用者の手を収容するための、前パネル、後パネル、及び開口部を含むグローブ部材と、
該グローブ部材に係合した閉鎖システムであって、
（a）面ファスナの第一の部分を含むフラップ構成要素であって、該フラップ構成要素の第一の縁部が、該開口部の第一の側面上で該グローブ部材に係合し、かつ該フラップ構成要素が、該第一の縁部の反対側に位置する自由縁をさらに含む、フラップ構成要素と、
（b）該開口部の第二の側面上で該グローブ部材の後パネルに係合した該面ファスナの第二の部分を含む、ベース構成要素であって、該ベース構成要素が、
(i)該開口部の第二の側面に沿って位置する第一の実質的に直線状の縁、
(ii)該開口部の第二の側面から離れるように伸びる第二の実質的に直線状の縁、
(iii)該第二の実質的に直線状の縁の反対側にあり、かつ該開口部の第二の側面から離れるように伸びる、第三の実質的に直線状の縁、及び
(iv)該第一の実質的に直線状の縁の反対側にあり、かつ該第二及び第三の実質的に直線状の縁との間で伸びる、切欠縁、
を有し、該ベース構成要素の該切欠縁が該開口部の第二の側面に向かって伸びることで、該グローブ部材の後パネルが切欠区域内で露出する、切欠区域を画定し、かつ該フラップ構成要素の該自由縁が、該面ファスナの該第一および第二の部分が一緒に係合する際に該切欠区域の上に伸びている、ベース構成要素とを含む、閉鎖システムと
を含む、グローブ。
【請求項２】
前記フラップ構成要素の第一の縁部が、前記開口部の第一の側面の縁において前記グローブ部材と係合し、前記ベース構成要素の第一の実質的に直線状の縁が、前記開口部の第二の側面の縁において該グローブ部材と係合する、請求項1記載のグローブ。
【請求項３】
切欠区域がベース構成要素を含まない、請求項1記載のグローブ。
【請求項４】
切欠区域の上に伸びるフラップ構成要素の自由縁の一部分が、面ファスナの第一の部分の一部を含む、請求項1記載のグローブ。
【請求項５】
前記ベース構成要素の切欠縁が滑らかに湾曲することで該切欠区域を画定する、請求項1記載のグローブ。
【請求項６】
前記ベース構成要素の切欠縁の少なくとも一部分が滑らかに湾曲することで該切欠区域を画定する、請求項1記載のグローブ。
【請求項７】
面ファスナの第一の部分がフラップ構成要素の主面の少なくとも98%を覆い、該面ファスナの第二の部分がベース構成要素の主面の少なくとも98%を覆い、かつ切欠区域が該ベース構成要素の切欠縁の内向きの湾曲によって画定される、請求項1記載のグローブ。
【請求項８】
前記ベース構成要素の切欠縁の上部分及び下部分が、完全に前記フラップ構成要素の自由縁の上部分及び下部分の下にありかつ該自由縁の上部分及び下部分に係合する程度に外向きに伸びる、請求項1記載のグローブ。
【請求項９】
面ファスナの第一の部分がフラップ構成要素の自由縁までかつそれに沿って伸び、該面ファスナの第二の部分がベース構成要素の切欠縁までかつそれに沿って伸び、かつ切欠区域が該ベース構成要素の該切欠縁の内向きの湾曲によって画定される、請求項1記載のグローブ。
【請求項１０】
前記フラップ構成要素の自由縁が、前記切欠区域において前記ベース構成要素の切欠縁を超えて伸びている、請求項１記載のグローブ。
【請求項１１】
グローブ部材がゴルフグローブボディ部材を含む、請求項1記載のグローブ。
【請求項１２】
着用者の手を収容するための、前パネル、後パネル、及び開口部を含む手係合ベース部材と、
該手係合ベース部材に係合した閉鎖システムであって、
（a）面ファスナの第一の部分を含むフラップ構成要素であって、該フラップ構成要素の第一の縁部が、該開口部の第一の側面上で該手係合ベース部材に係合し、かつ該フラップ構成要素が、該第一の縁部の反対側に位置する自由縁をさらに含む、フラップ構成要素と、
（b）該開口部の第二の側面上で該手係合ベース部材の後パネルに係合した該面ファスナの第二の部分を含む、ベース構成要素であって、該ベース構成要素が、
(i)該開口部の第二の側面に沿って位置する第一の実質的に直線状の縁、
(ii)該開口部の第二の側面から離れるように伸びる第二の実質的に直線状の縁、
(iii)該第二の実質的に直線状の縁の反対側にあり、かつ該開口部の第二の側面から離れるように伸びる、第三の実質的に直線状の縁、及び
(iv)該第一の実質的に直線状の縁の反対側にあり、かつ該第二及び第三の実質的に直線状の縁との間で伸びる、切欠縁、
を有し、該ベース構成要素の該切欠縁が該開口部の第二の側面に向かって伸びることで、該手係合ベース部材の後パネルが切欠区域内で露出する、切欠区域を画定し、かつ該フラップ構成要素の該自由縁が、該面ファスナの該第一および第二の部分が一緒に係合する際に該切欠区域の上に伸びている、ベース構成要素とを含む、閉鎖システムと
を含む、グローブ。
【請求項１３】
前記フラップ構成要素の第一の縁部が、前記開口部の第一の側面の縁において前記手係合ベース部材と係合し、前記ベース構成要素の第一の実質的に直線状の縁が、前記開口部の第二の側面の縁において該手係合ベース部材と係合する、請求項12記載のグローブ。
【請求項１４】
切欠区域がベース構成要素を含まない、請求項12記載のグローブ。
【請求項１５】
切欠区域の上に伸びるフラップ構成要素の自由縁の一部分が、面ファスナの第一の部分の一部を含む、請求項12記載のグローブ。
【請求項１６】
前記ベース構成要素の切欠縁が滑らかに湾曲することで該切欠区域を画定する、請求項12記載のグローブ。
【請求項１７】
前記ベース構成要素の切欠縁の少なくとも一部分が滑らかに湾曲することで該切欠区域を画定する、請求項12記載のグローブ。
【請求項１８】
面ファスナの第一の部分がフラップ構成要素の主面の少なくとも98%を覆い、該面ファスナの第二の部分がベース構成要素の主面の少なくとも98%を覆い、かつ切欠区域が該ベース構成要素の切欠縁の内向きの湾曲によって画定される、請求項12記載のグローブ。
【請求項１９】
前記ベース構成要素の切欠縁の上部分及び下部分が、完全に前記フラップ構成要素の自由縁の上部分及び下部分の下にありかつ該自由縁の上部分及び下部分に係合する程度に外向きに伸びる、請求項12記載のグローブ。
【請求項２０】
面ファスナの第一の部分がフラップ構成要素の自由縁までかつそれに沿って広がり、該面ファスナの第二の部分がベース構成要素の切欠縁までかつそれに沿って広がり、かつ切欠区域が該ベース構成要素の該切欠縁の内向きの湾曲によって画定される、請求項12記載のグローブ。
【請求項２１】
前記フラップ構成要素の自由縁が、前記切欠区域において前記ベース構成要素の切欠縁を超えて伸びている、請求項12記載のグローブ。
【請求項２２】
面ファスナの第一の部分を含むフラップ構成要素であって、該フラップ構成要素の第一の縁部が、固定される物品の第一の部分に係合し、かつ該フラップ構成要素が、該第一の縁部の反対側に位置する自由縁をさらに含む、フラップ構成要素と、
固定される物品の第二の部分に係合した該面ファスナの第二の部分を含む、ベース構成要素であって、該ベース構成要素が、
(i)第一の実質的に直線状の縁、
(ii)該第一の実質的に直線状の縁から離れるように伸びる第二の実質的に直線状の縁、
(iii)該第二の実質的に直線状の縁の反対側にあり、かつ該第一の実質的に直線状の縁から離れるように伸びる、第三の実質的に直線状の縁、及び
(iv)該第一の実質的に直線状の縁の反対側にあり、かつ該第二及び第三の実質的に直線状の縁との間で伸びる、切欠縁、
を有し、該ベース構成要素の該切欠縁が該固定される物品の第一の部分に向かって伸びることで、該固定される物品の第二の部分が切欠区域内で露出する、切欠区域を画定し、かつ該フラップ構成要素の該自由縁が、該面ファスナの該第一および第二の部分が一緒に係合する際に該切欠区域の上に伸びている、ベース構成要素と
を含む、グローブ固定システム。
【請求項２３】
前記フラップ構成要素の第一の縁部が、開口部の第一の側面の縁において前記固定される物品と係合し、前記ベース構成要素の第一の実質的に直線状の縁が、該開口部の第二の側面の縁において該固定される物品と係合する、請求項22記載のグローブ固定システム。
【請求項２４】
切欠区域がベース構成要素を含まない、請求項22記載のグローブ固定システム。
【請求項２５】
切欠区域の上に伸びるフラップ構成要素の自由縁の一部分が、面ファスナの第一の部分の一部を含む、請求項22記載のグローブ固定システム。
【請求項２６】
前記ベース構成要素の切欠縁が滑らかに湾曲することで該切欠区域を画定する、請求項22記載のグローブ固定システム。
【請求項２７】
前記ベース構成要素の切欠縁の少なくとも一部分が滑らかに湾曲することで該切欠区域を画定する、請求項22記載のグローブ固定システム。
【請求項２８】
面ファスナの第一の部分がフラップ構成要素の主面の少なくとも98%を覆い、該面ファスナの第二の部分がベース構成要素の主面の少なくとも98%を覆い、かつ切欠区域が該ベース構成要素の切欠縁の内向きの湾曲によって画定される、請求項22記載のグローブ固定システム。
【請求項２９】
前記ベース構成要素の切欠縁の上部分及び下部分が、完全に前記フラップ構成要素の自由縁の上部分及び下部分の下にありかつ該自由縁の上部分及び下部分に係合する程度に外向きに伸びる、請求項22記載のグローブ固定システム。
【請求項３０】
面ファスナの第一の部分がフラップ構成要素の自由縁までかつそれに沿って広がり、該面ファスナの第二の部分がベース構成要素の切欠縁までかつそれに沿って広がり、かつ切欠区域が該ベース構成要素の該切欠縁の内向きの湾曲によって画定される、請求項22記載のグローブ固定システム。
【請求項３１】
前記フラップ構成要素の自由縁が、前記切欠区域において前記ベース構成要素の切欠縁を超えて伸びている、請求項22記載のグローブ固定システム。
【発明の詳細な説明】
【技術分野】
【０００１】
関連出願データ
本出願は、2012年4月19日に出願された「Securing Systems for Gloves or Other Objects」と題する米国特許出願第13/450,856号に基づく優先権の恩典を主張する。この先行出願は参照により本明細書に完全に組み入れられる。
【０００２】
発明の分野
本発明の一つの局面は、例えば二つの構成要素を一緒に保持することに使用するための、磁気係合または固定システムの分野に関する。本発明の局面のより具体的ないくつかの例は、ゴルフボールマーカーをゴルフグローブ、他のゴルフ用具、衣料品などの別の物体に取り付けるための磁気係合システムに関する。他の例として、本発明の局面を磁気閉鎖機構用、例えば容器用に、ボタン、スナップまたは他のコネクタの代替品として、などで使用することができる。本発明のなおさらなる局面は、面ファスナ（hook-and-loop fastener）型固定システムを有するグローブまたは他の物体に関する。
【背景技術】
【０００３】
背景
多くのゴルファーは、例えば手を保護し、ゴルフクラブ上でのプレイヤーのグリップを強化し、かつ／または各要素に対する保護を設けるために、少なくとも一つのゴルフグローブを着用する。通常、そのようなグローブの少なくとも前面は、グリップ強化特性を示す革材（例えばカブレッタ革）または他の好適な材料でできている。
【０００４】
プレー中、多くのゴルファーはティー、ボールマーカーなどの様々な物品を取り出すためにポケットに手を突っ込む必要がある。しかし、グローブを付けた手をポケットに突っ込むことが問題を引き起こすことがある。というのも、グローブを付けた手をポケットから取り出す際に、ゴルフグローブの材料が内側ポケット材料の生地を把持してその材料をポケットの外側に引っ張りもする傾向にあるためである。この動作によってポケットの内容物がこぼれ落ちて、遅延、ポケットの内容物の潜在的な損失、および／または他の問題を引き起こすことがある。また、ゴルフグローブを常に着脱することは、プレイヤーには不便であり、遅延を引き起こし、かつ／またはグローブの紛失または置き間違いのおそれがある。
【０００５】
さらに、グローブを付けた手をポケットに挿入し、ポケットから取り出すことで、グローブの固定機構が捕らえられて緩められ、これによりゴルファーがグローブを手に再度固定することが必要になることがある。そのような動作も不便であり、遅延を引き起こす。
【０００６】
したがって、これらの課題の少なくともいくつかに対処しかつこれらの問題の少なくともいくつかを緩和することに役立つ、ゴルフグローブ分野の進歩が歓迎されよう。
【０００７】
さらに、一方の手で操縦および操作可能な固定システムおよび閉鎖システムを含む、使用が容易な固定システム、閉鎖システムなどが、これらの分野の歓迎すべき進歩であろう。
【発明の概要】
【０００８】
本概要は、以下の詳細な説明においてさらに説明する、単純化された形態での本発明に関連するいくつかの一般的概念を導入するために示される。本概要は、本発明の主要な特徴または本質的な特徴を同定するようには意図されていない。
【０００９】
本発明の局面は、解除可能磁気固定システム用、例えば閉鎖システム用のハウジング、ゴルフボールマーカーをゴルフグローブまたは他のゴルフ用具、衣料品などに固定するためのハウジング、などに関する。そのようなハウジングは例えば（a）外周を含むベース部材と、（b）ベース部材の外周にまたはその内側に位置する第一のベース面を画定する装着区域であって、（i）装着区域が、磁石または強磁性材料を収容するための第一の収容体（receptacle）を画定すること、（ii）装着区域が磁石から少なくとも部分的に作製されること、および（iii）装着区域が強磁性材料から少なくとも部分的に作製されること、からなる群より選択される少なくとも一つの特徴を含む、装着区域と、（c）第一のベース面の上方の装着区域からまたは装着区域の上に伸びかつベース部材の外周にまたはその内側に位置する、少なくとも二つの保持壁（例えば三つ、四つ、さらにはそれ以上の壁）とを含みうる。保持壁の内面、および第一のベース面は、磁力によって保持される解除可能部材（例えばゴルフボールマーカー、閉鎖システム用の固定要素、など）を収容するための、内周（例えば保持壁の内面から伸び、内面に沿って伸びかつ内面を相互接続する仮想線）を有する解除可能部材収容体を画定する。そのようなハウジングにおいて、内周の周りの保持壁の内面の全周囲長合計は、内周の全長の50%未満、および／または解除可能に保持されている物体の外周の全長の50%未満でありうるし、いくつかの例では、これらの全長の40%未満、さらにはこれらの全長の30%未満でありうる。第一のベース面は平面部を含みうるし、平面部は内周の内側に画定された内側区域の全体未満に広がり、したがって平面部は内周の少なくともいくらかの部分に広がらない。解除可能コネクタ、例えばゴルフボールマーカーを磁気引力によってハウジングに係合させることができる。
【００１０】
そのような組立体を例えば衣料（例えば衣料および靴を含むゴルフ衣料）、スポーツ用具（例えばゴルフグローブ、ゴルフグリップおよび他のゴルフ用具）、閉鎖システム、バッグ、容器などに組み込むことができる。
【００１１】
本発明のさらなる局面は、（a）着用者の手を収容するための開口部を含むグローブ部材と、（b）グローブ部材に係合した閉鎖システムとを含む、グローブに関する。この閉鎖システムは、（i）面ファスナの第一の部分を含むフラップ構成要素であって、フラップ構成要素の第一の縁部が、開口部の第一の側面上でグローブ部材に係合し、フラップ構成要素が、第一の縁部の反対側に位置する自由縁をさらに含む、フラップ構成要素と、（ii）開口部の第二の側面上でグローブ部材に係合した面ファスナの第二の部分を含む、ベース構成要素とを含みうる。ベース構成要素の縁部は、面ファスナの第二の部分を含まない切欠区域を含み、フラップ構成要素の自由縁は、面ファスナの第一および第二の部分が一緒に係合する際に切欠区域の上に伸びている。
【００１２】
この種類の閉鎖システムは、面ファスナ要素によって固定、係合または閉鎖される、衣料品、履物、スポーツ用具、バッグ、容器および／または他の物体を含む他の種類の物体上に含まれうる。
[本発明１００１]
着用者の手を収容するための開口部を含むグローブ部材と、
該グローブ部材に係合した閉鎖システムであって、
（a）面ファスナの第一の部分を含むフラップ構成要素であって、該フラップ構成要素の第一の縁部が、該開口部の第一の側面上で該グローブ部材に係合し、かつ該フラップ構成要素が、該第一の縁部の反対側に位置する自由縁をさらに含む、フラップ構成要素と、
（b）該開口部の第二の側面上で該グローブ部材に係合した該面ファスナの第二の部分を含む、ベース構成要素であって、該ベース構成要素の縁部が、該面ファスナの該第二の部分を含まない切欠区域を含み、かつ該フラップ構成要素の該自由縁が、該面ファスナの該第一および第二の部分が一緒に係合する際に該切欠区域の上に伸びている、ベース構成要素とを含む、閉鎖システムと
を含む、グローブ。
[本発明１００２]
切欠区域がベース構成要素を含むが面ファスナの第二の部分を含まない、本発明1001のグローブ。
[本発明１００３]
切欠区域がベース構成要素を含まない、本発明1001のグローブ。
[本発明１００４]
切欠区域の上に伸びるフラップ構成要素の自由縁の一部分が、面ファスナの第一の部分の一部を含む、本発明1001のグローブ。
[本発明１００５]
切欠区域を含むベース構成要素の縁部が滑らかに湾曲することで該切欠区域を形成する、本発明1001のグローブ。
[本発明１００６]
切欠区域を含むベース構成要素の縁部の少なくとも一部分が滑らかに湾曲することで該切欠区域を形成する、本発明1001のグローブ。
[本発明１００７]
面ファスナの第一の部分がフラップ構成要素の主面の少なくとも98%を覆い、該面ファスナの第二の部分がベース構成要素の主面の少なくとも98%を覆い、かつ切欠区域が該ベース構成要素の縁部の内向きの湾曲によって画定される、本発明1001のグローブ。
[本発明１００８]
面ファスナの第一の部分がフラップ構成要素の主面の少なくとも98%を覆い、該面ファスナの第二の部分がベース構成要素の主面の95%未満を覆い、かつ切欠区域が該ベース構成要素の縁部に沿った該面ファスナの該第二の部分の内向きの湾曲によって画定される、本発明1001のグローブ。
[本発明１００９]
面ファスナの第一の部分がフラップ構成要素の自由縁までかつそれに沿って伸び、該面ファスナの第二の部分がベース構成要素の縁部までかつそれに沿って伸び、かつ切欠区域が該ベース構成要素の該縁部の内向きの湾曲によって画定される、本発明1001のグローブ。
[本発明１０１０]
面ファスナの第一の部分がフラップ構成要素の自由縁までかつそれに沿って広がり、該面ファスナの第二の部分がベース構成要素の縁部の上部分および該ベース構成要素の該縁部の下部分まで広がり、かつ該面ファスナの該第二の部分が該上部分と該下部分との間の縁部の一部分において該ベース構成要素の該縁部に広がらないことで切欠区域を画定する、本発明1001のグローブ。
[本発明１０１１]
グローブ部材がゴルフグローブボディ部材を含む、本発明1001のグローブ。
[本発明１０１２]
着用者の手を収容するための開口部を含む手係合ベース部材と、
該手係合部材に係合した閉鎖システムであって、
（a）面ファスナの第一の部分を含むフラップ構成要素であって、該フラップ構成要素の第一の縁部が、該開口部の第一の側面上で該手係合ベース部材に係合し、かつ該フラップ構成要素が、該第一の縁部の反対側に位置する自由縁をさらに含む、フラップ構成要素と、
（b）該開口部の第二の側面上で該手係合ベース部材に係合した該面ファスナの第二の部分を含む、ベース構成要素であって、該ベース構成要素の縁部が、該面ファスナの該第二の部分を含まない切欠区域を含み、かつ該フラップ構成要素の該自由縁が、該面ファスナの該第一および第二の部分が一緒に係合する際に該切欠区域の上に伸びている、ベース構成要素とを含む、閉鎖システムと
を含む、手収容装置。
[本発明１０１３]
切欠区域がベース構成要素を含むが面ファスナの第二の部分を含まない、本発明1012の手収容装置。
[本発明１０１４]
切欠区域がベース構成要素を含まない、本発明1012の手収容装置。
[本発明１０１５]
切欠区域の上に伸びるフラップ構成要素の自由縁の一部分が、面ファスナの第一の部分の一部を含む、本発明1012の手収容装置。
[本発明１０１６]
切欠区域を含むベース構成要素の縁部が滑らかに湾曲することで該切欠区域を形成する、本発明1012の手収容装置。
[本発明１０１７]
切欠区域を含むベース構成要素の縁部の少なくとも一部分が滑らかに湾曲することで該切欠区域を形成する、本発明1012の手収容装置。
[本発明１０１８]
面ファスナの第一の部分がフラップ構成要素の主面の少なくとも98%を覆い、該面ファスナの第二の部分がベース構成要素の主面の少なくとも98%を覆い、かつ切欠区域が該ベース構成要素の縁部の内向きの湾曲によって画定される、本発明1012の手収容装置。
[本発明１０１９]
面ファスナの第一の部分がフラップ構成要素の主面の少なくとも98%を覆い、該面ファスナの第二の部分がベース構成要素の主面の95%未満を覆い、かつ切欠区域が該ベース構成要素の縁部に沿った該面ファスナの該第二の部分の内向きの湾曲によって画定される、本発明1012の手収容装置。
[本発明１０２０]
面ファスナの第一の部分がフラップ構成要素の自由縁までかつそれに沿って広がり、該面ファスナの第二の部分がベース構成要素の縁部までかつそれに沿って広がり、かつ切欠区域が該ベース構成要素の該縁部の内向きの湾曲によって画定される、本発明1012の手収容装置。
[本発明１０２１]
面ファスナの第一の部分がフラップ構成要素の自由縁までかつそれに沿って広がり、該面ファスナの第二の部分がベース構成要素の縁部の上部分および該ベース構成要素の該縁部の下部分まで広がり、かつ該面ファスナの該第二の部分が該上部分と該下部分との間の縁部の一部分において該ベース構成要素の該縁部に広がらないことで切欠区域を画定する、本発明1012の手収容装置。
[本発明１０２２]
面ファスナの第一の部分を含むフラップ構成要素であって、該フラップ構成要素の第一の縁部が、固定される物品の第一の部分に係合し、かつ該フラップ構成要素が、該第一の縁部の反対側に位置する自由縁をさらに含む、フラップ構成要素と、
固定される物品の第二の部分に係合した該面ファスナの第二の部分を含む、ベース構成要素であって、該ベース構成要素の縁部が、該面ファスナの該第二の部分を含まない切欠区域を含み、かつ該フラップ構成要素の該自由縁が、該面ファスナの該第一および第二の部分が一緒に係合する際に該切欠区域の上に伸びている、ベース構成要素と
を含む、固定システム。
[本発明１０２３]
切欠区域がベース構成要素を含むが面ファスナの第二の部分を含まない、本発明1022の固定システム。
[本発明１０２４]
切欠区域がベース構成要素を含まない、本発明1022の固定システム。
[本発明１０２５]
切欠区域の上に伸びるフラップ構成要素の自由縁の一部分が、面ファスナの第一の部分の一部を含む、本発明1022の固定システム。
[本発明１０２６]
切欠区域を含むベース構成要素の縁部が滑らかに湾曲することで該切欠区域を形成する、本発明1022の固定システム。
[本発明１０２７]
切欠区域を含むベース構成要素の縁部の少なくとも一部分が滑らかに湾曲することで該切欠区域を形成する、本発明1022の固定システム。
[本発明１０２８]
面ファスナの第一の部分がフラップ構成要素の主面の少なくとも98%を覆い、該面ファスナの第二の部分がベース構成要素の主面の少なくとも98%を覆い、かつ切欠区域が該ベース構成要素の縁部の内向きの湾曲によって画定される、本発明1022の固定システム。
[本発明１０２９]
面ファスナの第一の部分がフラップ構成要素の主面の少なくとも98%を覆い、該面ファスナの第二の部分がベース構成要素の主面の95%未満を覆い、かつ切欠区域が該ベース構成要素の縁部に沿った該面ファスナの該第二の部分の内向きの湾曲によって画定される、本発明1022の固定システム。
[本発明１０３０]
面ファスナの第一の部分がフラップ構成要素の自由縁までかつそれに沿って広がり、該面ファスナの第二の部分がベース構成要素の縁部までかつそれに沿って広がり、かつ切欠区域が該ベース構成要素の該縁部の内向きの湾曲によって画定される、本発明1022の固定システム。
[本発明１０３１]
面ファスナの第一の部分がフラップ構成要素の自由縁までかつそれに沿って広がり、該面ファスナの第二の部分がベース構成要素の縁部の上部分および該ベース構成要素の該縁部の下部分まで広がり、かつ該面ファスナの該第二の部分が該上部分と該下部分との間の縁部の一部分において該ベース構成要素の該縁部に広がらないことで切欠区域を画定する、本発明1022の固定システム。
【図面の簡単な説明】
【００１３】
前述の発明の概要、および以下の発明の詳細な説明は、添付図面との組み合わせで考慮されるときによりよく理解されよう。添付図面では、同様の参照数字は、その参照番号が現れる様々な図面のすべてにおいて同一または同様の要素を指す。
【００１４】
【図１Ａ】本発明の例のゴルフグローブ、および／または解除可能ゴルフボールマーカー組立体の図を示す。
【図１Ｂ】本発明の例のゴルフグローブ、および／または解除可能ゴルフボールマーカー組立体の図を示す。
【図１Ｃ】本発明の例のゴルフグローブ、および／または解除可能ゴルフボールマーカー組立体の図を示す。
【図１Ｄ】本発明の例のゴルフグローブ、および／または解除可能ゴルフボールマーカー組立体の図を示す。
【図１Ｅ】本発明の例のゴルフグローブ、および／または解除可能ゴルフボールマーカー組立体の図を示す。
【図１Ｆ】本発明の例のゴルフグローブ、および／または解除可能ゴルフボールマーカー組立体の図を示す。
【図１Ｇ】本発明の例のゴルフグローブ、および／または解除可能ゴルフボールマーカー組立体の図を示す。
【図１Ｈ】本発明の例のゴルフグローブ、および／または解除可能ゴルフボールマーカー組立体の図を示す。
【図２】本発明の例の代替的ゴルフボールマーカー組立体の断面図を示す。
【図３】本発明の例の別の例示的ゴルフボールマーカー組立体の俯瞰図を示す。
【図４】本発明の例のさらに別の例示的ゴルフボールマーカー組立体の俯瞰図を示す。
【図５】帽子に組み込まれた、本発明の一例の例示的ゴルフボールマーカー組立体の図を示す。
【図６】ポケット縁に組み込まれた、本発明の一例の例示的ゴルフボールマーカー組立体の図を示す。
【図７】ベルトに組み込まれた、本発明の一例の例示的ゴルフボールマーカー組立体の図を示す。
【図８】靴に組み込まれた、本発明の一例の例示的ゴルフボールマーカー組立体の図を示す。
【図９】ディボット修復ツールに組み込まれた、本発明の一例の例示的ゴルフボールマーカー組立体の図を示す。
【図１０】本発明の他の例の固定システム組立体の断面図を示す。
【図１１】本発明のさらに他の例の固定組立体を有する閉鎖フラップを有する例示的容器を示す。
【図１２Ａ】本発明のこの局面の例の把握切欠区域を有する閉鎖システムを含む例示的グローブを示す。
【図１２Ｂ】本発明のこの局面の例の把握切欠区域を有する閉鎖システムを含む例示的グローブを示す。
【図１２Ｃ】本発明のこの局面の例の把握切欠区域を有する閉鎖システムを含む例示的グローブを示す。
【図１３】本発明のこの局面の把握切欠区域を有する別の例示的閉鎖システムを示す。
【発明を実施するための形態】
【００１５】
発明の詳細な説明
本発明の磁気係合または固定システムの様々な例に関する以下の説明においては、添付図面を参照する。添付図面は、本明細書の一部を形成するものであり、本発明の局面が実施されうる様々な例示的構造および環境が実例として示されている。本発明の範囲を逸脱することなく、他の構造および環境を利用することができ、具体的に説明された構造および方法の構造的および機能的修正を行うことができることが理解されよう。
【００１６】
I. 本発明の局面の一般的説明
本発明の局面は、例えば二つの構成要素を解除可能に一緒に保持することに使用するための、磁気係合または固定システムに関する。上記のように、本発明の局面のより具体的な例は、ゴルフボールマーカーをゴルフグローブ、他のゴルフ用具、衣料品などの他の物体に取り付けるための磁気係合システムに関する。他の例として、本発明の局面を磁気閉鎖および／または固定機構用、例えば容器用に、ボタンまたはスナップの代替品として、ストラップ（例えばサイクリングヘルメットなどのヘルメット用）を固定するために、などで使用することができる。本発明のより具体的な特徴および局面を以下でさらに詳細に説明する。
【００１７】
A. 本発明の例の磁気係合システムハウジング
本発明のいくつかの局面は、解除可能磁気固定システム用、例えば閉鎖システム用のハウジング、ゴルフボールマーカーをゴルフ用具、衣料品などに固定するためのハウジング、などに関する。そのようなハウジングは例えば（a）外周を含むベース部材と、（b）ベース部材の外周にまたはその内側に位置する第一のベース面を画定する装着区域であって、（i）装着区域が、磁石または強磁性材料を収容するための第一の収容体を画定すること、（ii）装着区域が磁石から少なくとも部分的に作製されること、および（iii）装着区域が強磁性材料から少なくとも部分的に作製されることからなる群より選択される少なくとも一つの特徴を含む、装着区域と、（c）第一のベース面の上方の装着区域からおよび／または装着区域の上に伸びかつベース部材の外周にまたはその内側に位置する、少なくとも二つの保持壁（例えば三つ、四つ、さらにはそれ以上の保持壁）とを含みうる。保持壁の内面、および第一のベース面は、磁力によって保持される解除可能部材（例えばゴルフボールマーカー、閉鎖システム用の固定要素、など）を収容するための、内周を有する解除可能部材収容体を画定する。この内周は、保持壁の内面の周りに、内面に沿ってかつ内面の間で伸びる仮想線に対応しうる。そのようなハウジングにおいて、内周の周りの保持壁の内面の全周囲長合計は、内周の全長の50%未満でありうるし、いくつかの例では、この全長の40%未満、さらにはこの全長の30%未満でありうる。第一のベース面は平面部を含みうるし、平面部は内周によって画定された内側区域の全体未満に広がり、したがって平面部は内周の少なくともいくらかの部分に広がらない。
【００１８】
所望であれば、ハウジングの少なくともいくつかの部分を一体型1ピース構成（例えばベース部材、装着区域および／または保持壁のいずれかまたはすべてを含む）として構成してもよい。あるいは、ハウジングは、一緒に係合した二つ以上の別々のパーツから作製されてもよい。ハウジング（上記で同定されたパーツのいずれかを含む）は、可撓性ゴムまたはポリマー材料、場合によっては熱可塑性ポリウレタン材料などの可撓性材料から作製されてもよく、射出成形などの成形プロセスによって作製されてもよい。
【００１９】
上記のように、第一のベース面は平面部を含みうるし、平面部は内周によって画定された内側区域の全体未満に広がり、したがって平面部は内周の少なくともいくらかの部分に広がらない。平面部は、装着区域に装着される際に、保持される物体に係合しうる。平面部は、例えば内周の内側に貫通孔（ハウジングを通じた）を設けること、内周の内側に段差部分を設けること、内周の内側に湾曲または傾斜した壁を設けることなどによって、解除可能部材収容体の内周の少なくともいくらかの部分の手前で止まりうる。
【００２０】
B. 本発明の例のグローブボールマーカー組立体およびそのような組立体を組み込んだ製品
本発明のさらなる局面はゴルフボールマーカー組立体に関する。そのような組立体は（a）外周を含むベース部材と、（b）ベース部材の外周にまたはその内側に位置する第一のベース面を画定する装着区域であって、（i）装着区域が、磁石または強磁性材料を収容するための第一の収容体を画定すること、（ii）装着区域が磁石から少なくとも部分的に作製されること、および（iii）装着区域が強磁性材料から少なくとも部分的に作製されること、からなる群より選択される少なくとも一つの特徴を含む、装着区域と、（c）第一のベース面の上方の装着区域から伸びかつベース部材の外周にまたはその内側に位置する、少なくとも二つの保持壁であって、保持壁の内面および第一のベース面がゴルフボールマーカー収容体を画定する、保持壁と、（d）ゴルフボールマーカー収容体に取り外し可能に収容可能であり、磁力（例えば装着区域の少なくとも何らかの部分とゴルフボールマーカーの少なくとも何らかの部分との間の磁気引力）によって装着区域に取り外し可能に固定されており、外周を有する、ゴルフボールマーカーとを含みうる。そのような組立体において、保持壁の内面の全周囲長合計は、ゴルフボールマーカーの外周の50%未満にわたりうるし、いくつかの例では、この外周の40%未満、さらにはこの外周の30%未満にわたりうる。第一のベース面は平面部を含みうるし、平面部はゴルフボールマーカー収容体の内側区域の全体（および／または保持壁の内面によって画定された内周）未満に広がり、したがって平面部はゴルフボールマーカー収容体の外縁の少なくともいくらかの部分（例えば内周（例えば上記のような））に広がらない。組立体は、ハウジングについて先に記載した様々な特徴のいずれかを有しうる。
【００２１】
本発明を逸脱することなく、上記の種類のゴルフボールマーカー組立体を多様な構造に組み込むことができる。例えば、ゴルフ衣料は上記のハウジング（例えば、衣料品の何らかの部分に係合した上記のベース部材）を含みうる。そのようなゴルフ衣料の例としては、帽子またはバイザー（例えば、帽子またはバイザーのバイザー構成要素に装着されたベース部材を有するもの）、ズボンまたは半ズボン、シャツ、ジャケット、レインジャケット、レインパンツ、ウィンドシャツまたはウィンドブレイカー（例えば、ポケットの内部仕切りの内側を含む、衣料品のポケット縁の位置またはその近傍に装着されたベース部材を場合によって有するもの）、靴（例えば、靴の舌革部、靴の甲などに装着されたベース部材を有するもの）、ベルト（例えば、ベルトのバックルまたはストラップに装着されたベース部材を有するもの）、腕時計バンドまたは他の手首装着型装置、などが挙げられる。
【００２２】
さらなる例として、上記の種類のゴルフボールマーカー組立体を様々な種類のゴルフ用具に組み込むことができる。例えば、ゴルフ用具は上記のハウジング（例えば、ゴルフ用具の何らかの部分に係合した上記のベース部材（本明細書においては「ゴルフ用具ベース構成要素」とも呼ぶ））を含みうる。そのようなゴルフ用具の例としてはディボット修復ツール、ゴルフグローブ（例えば、グローブの閉鎖システムのフラップ上に含まれるベース部材を有するもの）、ゴルフバッグ、ゴルフカート、ゴルフクラブグリップ（例えばパターグリップ）、パターヘッド（例えばパターの上面または下面）、ゴルフヤード数測定装置（例えばレーザー距離測定装置、GPS装置など）、などが挙げられる。
【００２３】
C. 本発明の例の解除可能磁気固定組立体およびそのような組立体を組み込む製品
本発明のなおさらなる局面は、上記の種類のハウジング、ベース部材、装着区域および保持壁を含みうる、他の解除可能磁気固定組立体に関する。別の構成要素に係合される一つの構成要素にハウジングまたはベース部材を係合させることができる。この別の要素は、ベース部材のコネクタ収容体（例えば、第一のベース面および保持壁によって画定されたコネクタ収容体）に取り外し可能に収容可能なコネクタ構成要素でありうる（または、このコネクタ構成要素が取り付けられうる）。ベース部材の装着区域とコネクタ構成要素との間の磁気引力によってこの二つの構成要素が解除可能に一緒に保持される。そのような固定組立体は閉鎖システム（例えば、箱、バッグまたは他の容器用の閉鎖フラップ；ボタン、スナップ、フックアンドループ（hook-and-loop）型コネクタなどの代替品；など）として機能しうる。そのような固定組立体は、例えば一本の手および／またはグローブを付けた手によっても容易に操縦し、使用することができる。
【００２４】
D. グローブおよび他の物体を固定するための面ファスナシステム
本発明のなおさらなる局面は、ゴルフグローブおよび他の手収容装置を含むグローブまたは他の衣料品もしくは物体用の閉鎖システムなどの固定システムに関する。そのような固定システムは、（a）面ファスナの第一の部分を含むフラップ構成要素であって、フラップ構成要素の第一の縁部が、（例えば、着用者の手を収容するためのグローブ中の開口部の第一の側面上で）固定される物品の第一の部分に（直接的または間接的に）係合し、フラップ構成要素が、第一の縁部の反対側に位置する自由縁をさらに含む、フラップ構成要素と、（b）（例えばグローブ開口部の他の側面上で）固定される物品の第二の部分に係合した面ファスナの第二の部分を含む、ベース構成要素であって、ベース構成要素の縁部が、面ファスナの第二の部分を含まない切欠区域を含み、フラップ構成要素の自由縁が、面ファスナの第一および第二の部分が一緒に係合する際に切欠区域の上に伸びている、ベース構成要素とを含みうる。切欠区域によって、固定システムを解除する上で役立つ把握区域が実現される。
【００２５】
面ファスナは任意の所望の種類の面ファスナであることができ、低輪郭、さらには超低輪郭面ファスナ構成要素（例えば、面ファスナの第一および第二の部分が一緒に係合する際に3/8インチ厚未満、1/4インチ厚未満、3/16インチ厚未満、さらには1/8インチ厚未満という全厚を場合によって有する、薄型面ファスナ）を含む。
【００２６】
そのような構造において、切欠区域は、ベース構成要素を含むが面ファスナの第二の部分を含まないことができる。あるいは、所望であれば、切欠区域はベース構成要素を含まなくてもよい。他の潜在的特徴として、切欠区域の上に伸びるフラップ構成要素の自由縁の一部分は、面ファスナの第一の部分の一部を含んでもよく、自由縁のこの部分は、面ファスナの第一の部分を含まなくてもよい。
【００２７】
切欠区域は、本発明を逸脱することなく任意の所望の形状または構成を取りうる。例えば、切欠区域はベース構成要素の縁部沿いに中心を置いてもよく、この縁部の一端または他端に偏っていてもよい。切欠はベース構成要素の滑らかに湾曲した縁部（もしくはこの縁部の少なくとも一部分）によって、または直角な隅部を含む、より直角なもしくは急な隅部によって画定されうる。
【００２８】
本発明のこの局面のいくつかの例示的構造において、面ファスナの第一の部分はフラップ構成要素の主面の少なくとも90%（いくつかの例では少なくとも95%、さらには少なくとも98%）を覆い、面ファスナの第二の部分はベース構成要素の主面の少なくとも90%（いくつかの例では少なくとも95%、さらには少なくとも98%）を覆う。そのような構造において、切欠区域はベース構成要素の縁部の内向きの湾曲によって画定されうる。他の例示的構造において、面ファスナの第一の部分はフラップ構成要素の主面の少なくとも90%（いくつかの例では少なくとも95%、さらには少なくとも98%）を覆い、面ファスナの第二の部分はベース構成要素の主面の95%未満（いくつかの例では90%未満、さらには85%未満）を覆う。そのような構造において、切欠区域はベース構成要素の縁部に沿った面ファスナの第二の部分の内向きの湾曲によって画定されうる（これにより、縁部に沿ったベース構成要素の主面の一部分は面ファスナの第二の部分を含まなくなる）。
【００２９】
なおさらなる例として、面ファスナの第一の部分はフラップ構成要素の自由縁までかつそれに沿って広がりうるし、面ファスナの第二の部分はベース構成要素の縁部までかつそれに沿って広がりうるし、切欠区域はベース構成要素の縁部の内向きの湾曲によって画定されうる。あるいは、面ファスナの第一の部分はフラップ構成要素の自由縁までかつそれに沿って広がりうるし、面ファスナの第二の部分はベース構成要素の縁部の上部分およびベース構成要素の縁部の下部分まで広がりうるし、面ファスナの第二の部分は上部分と下部分との間の縁部の一部分においてベース構成要素の縁部に広がらないことで切欠区域を画定する。
【００３０】
この種類の閉鎖または固定システムは、面ファスナ要素によって係合または閉鎖される、衣料品、履物、スポーツ用具、バッグ、容器、ケースおよび／または他の物体を含む他の種類の物体上に含まれうる。
【００３１】
上記で示した本発明の特徴、局面、構造および配設の一般的説明を前提として、以下、本発明の具体的な例示的構成要素のより詳細な説明を行う。
【００３２】
II. 本発明の例示的構造の詳細な説明
図面および以下の考察を参照して、本発明の様々な固定構造およびその特徴を開示する。図示および考察される構造は広範な製品、例えば上記の製品などに適用可能である。したがって、本発明は、本明細書に開示された態様に厳密に限定されない。
【００３３】
図1A〜図1Cは、例示的ゴルフグローブ構造100を示し、この構造は、ゴルフボールマーカー152をゴルフグローブ100に係合させるための磁気固定組立体150を含む。そのような組立体150においては、マーカー152、またはそれを保持するための構造の少なくとも何らかの部分（以下でさらに詳細に説明）のうち少なくとも一方が磁石（例えば永久磁石）から作製される。場合によっては、マーカー152、およびそれを保持するための構造の少なくとも何らかの部分のうち一方または両方が、磁力によって磁石に引きつけられる材料（例えば強磁性材料）から作製される。ゴルフボールマーカー152は薄い円柱状の要素（例えばコイン形の）でありうる。
【００３４】
図1Aおよび図1Bに示すように、従来通り、グローブ100は前部分102および後部分104を含み、いずれも任意の所望の材料（例えば天然または合成革材、ポリマー生地材料、伸縮材など）から任意の所望の構成および／または任意の所望の数の個々のパーツで作製される。この図示される例において、前部分102および後部分104は例えば縫製または縫合によって一緒に係合し、親指部分106（一つまたは複数のパーツから構成）は縫製または縫合によって前部分102に係合する。所望であれば、グローブ構造100はさらなる個々のパーツ、例えば、指の側面用のまち、グローブ開口部110の手首区域に沿った弾性要素108、指関節裏側領域または指にわたる伸縮パネル、通気性のためのメッシュ材、などを含んでもよい。
【００３５】
図1Bおよび図1Cは、この例示的グローブ構成100が、グローブ開口部110を閉鎖しかつグローブ100を着用者の手に固定するための閉鎖システム120を含むことをさらに示す。多様な構成が本発明を逸脱することなく可能だが、この図示される例においては、閉鎖システム120はフラップ122を含み、フラップは、グローブ開口部110の一部を形成するスリット112の一つの側面上で後部分104に係合する。フラップ122は、解除可能コネクタシステム（例えばボタン、ボタン穴、スナップの一部分、面ファスナシステムの一部分など）の一部分を含むことができ、この部分は、例えばグローブ構造100の後部分104に装着されうる解除可能コネクタシステムの別の部分に係合する。フラップ122は、ユーザーがフラップ122を所望のレベルの堅固さで引っ張り固定することを可能にする弾性要素を経由して、（例えば前部分102および後部分104が一緒に接合された継ぎ目において）グローブ構造100の残りに係合しうる。
【００３６】
図1Bおよび図1Cならびに図1D〜図1Hは、ゴルフボールマーカー152をゴルフグローブ100に解除可能に係合させるための磁気固定組立体150のさらなる詳細を示す。図1Dは、グローブフラップ122に装着された固定組立体150の近接図を示し、マーカー152の外周152aが破線で文脈に応じて示される。図1Eは、マーカー152が取り外された固定組立体150の近接図を示し、この例示的組立体の特定の隠された特徴が破線で示される。図1F〜図1Hは、本発明のこの例の機能を図示する、フラップ122と固定組立体150との組み合わせの断面図を示す。
【００３７】
この図示される例においては、磁気固定組立体150のハウジングまたはベース部材154がグローブ閉鎖システム120のフラップ122に係合する。ハウジング154の外側フランジ156（外周156aを有する）が、フラップ122の革（または他の生地）の上層124と、フラップ122を面ファスナ要素の他の部分に固定するために使用される面ファスナ要素の部分126との間に固定されている。ハウジング154の一部分がフラップの上層124中の開口部124aを通じて露出している。本発明のいくつかの例示的構造において、フランジ156は、可撓性材料、例えばゴム、熱可塑性ポリウレタン、他の重合体などから作製されていることから、例えば着用者の手が屈曲すると同時に、例えば手の形状によりよく適合し、快適性を高めるように多少屈曲しうる。フランジ156は縫合または縫製によって上層124に係合する。本発明を逸脱することなく、接着剤または他の接続機構をこの係合に使用することができる（例えばハウジング154を上層124またはファスナ要素部分126に接着剤接着する）。
【００３８】
ハウジングまたはベース部材154は装着区域160（上層124の開口部124aを通じて露出）をさらに含み、装着区域は、ボールマーカー152が解除可能に装着される少なくとも部分的に露出したベース面160aを画定する。図1F〜図1Hに最もよく示されるように、ベース面160aは、マーカー152が装着区域160に固定される際にそこに存在する平面部を含む。
【００３９】
図1B〜図1Hは、この例示的構成の固定組立体150が、装着区域160からまたは装着区域160の上に伸びかつベース面160aの上に伸びる少なくとも二つの保持壁170（この図示される例示的構造においては四つの壁170が示される）を含むことをさらに示す。この図示される例において、保持壁170の内面または対向面170a、およびベース面160aはゴルフボールマーカー収容体を画定する。例えば、ゴルフボールマーカー152の外周縁152aの周りに密接に嵌合されるように、壁170は位置しており、かつそれらの内面170aが形づくられている。保持壁170は、ゴルフボールマーカー収容体を画定するすべての保持壁170の内面170aの周囲の全長が、収容体内に保持されるゴルフボールマーカー152の外周152aの50%未満であり、いくつかの例では、この外周152aの長さの40%未満、さらには30%未満であるようにサイズ決めされている。さらにまたは代わりに、保持壁170は、ゴルフボールマーカー収容体を画定するすべての保持壁170の内面170aの周囲の全長が、ゴルフボールマーカー収容体を構成する内周を画定するように、保持壁170の内面170aを複数の壁170の間に伸ばさせることで画定される周囲長の50%未満であるようにサイズ決めされうる（図1Eに示す内周延長または「仮想内周」170bを参照）。いくつかの例において、内面170aの全内周長（実際の内周長）はこの仮想内周170bの長さの40%未満、さらには30%未満である。
【００４０】
（内周方向に）短い保持壁170、およびそれらが装着区域160の周りに分散して分布していることが、ベース面160aに対するボールマーカー152の容易な係合および係合解除を依然として可能にしながら、ボールマーカー152をベース面160a上の定位置にしっかりと保持することに役立つ。図1F〜図1Hに関する以下の考察においてさらに明らかになるように、別々の保持壁170間の相対的に大きな間隙によって、マーカー152は、より容易に掴まれ、かつ／またはベース面160aへ向けてのおよびベース面160aから離れる多様な異なる方向により容易に滑らせられる。
【００４１】
上記のように、ベース面160aは、マーカー152が装着区域160に固定される際にそこに存在する平面部を含む。この平面部は、保持壁170の延長によって画定される内周170b（仮想内周）の内部区域の全体未満に広がりうるものであり、したがって、平面部の少なくとも一部は内周170bの少なくともいくらかの部分に広がらない。図1C〜図1Hに示す例示的構造において、ベース面160aの平面部は、内周170bの内側に位置する横方向壁または側壁160bにおいて終止する（所望であれば、壁160bはベース面160aの平面部に対して非垂直な角度で、または湾曲面として伸びてもよい）。したがって、この図示される例示的構造において、ハウジングまたはベース部材154は、そこを通じて画定された貫通孔172を有する。この貫通孔172の少なくとも大部分は、保持壁170によって画定される区域の内側（すなわち仮想内周170bの内側）に位置する。図1Eに示す図において、陰影部分は貫通孔172の位置を表し、面ファスナ部分126の下面が貫通孔172を通じて見える。この図示される例においては単一の貫通孔172が内周170bに示されているが、所望であれば本発明を逸脱することなく複数の貫通孔を内周170bに設けてもよい。
【００４２】
マーカー152がハウジング154に固定される際にそこに存在するベース面160aの平面部は、安定な支持面が設けられるという条件で、本発明を逸脱することなく内周170bの任意の所望の割合を占めうる。いくつかのより具体的な例として、ベース面160aの平面部は内周170bの区域の15%〜95%、いくつかの例ではこの区域の20%〜90%、25%〜80%、さらには30%〜75%を占めうる。一つまたは複数の貫通孔172が装着区域160を通じて存在する場合、これらの貫通孔は内周170bの区域の5%〜85%、いくつかの例ではこの区域の10%〜80%、20%〜75%、さらには25%〜70%を占めうる。いくつかの例において、単一の貫通孔172は内周170bの区域の10%〜25%を占めうる。これらの種類の貫通孔はハウジング154の重量を軽減しかつ／またはその可撓性を改善することができる。
【００４３】
ベース面160aは一つまたは複数の陥凹部をそこに含んでもよく、これによりベース面160a（特にその平面部）は非連続的または非断続的になる（例えばベース面160aに陥凹孔（有底孔もしくは貫通孔）または溝あるいは他の形状を形成することで）。そのような陥凹部もハウジング154の重量を軽減しかつ／またはその可撓性を改善することに役立ちうる。同様に、図1Eに示すように、ハウジングまたはベース部材154のフランジ156も陥凹部または開口部156bを含んでもよく、これらもやはりハウジング154の重量を軽減しかつ／またはその可撓性を改善することに役立ちうる。
【００４４】
この図示される例示的構造150において、二つの保持壁170は、保持壁の内面170aが装着区域160のベース面160aが貫通孔172に隣接または接触する位置をまたぐ（例えば、二つの壁170が側壁160bの位置をまたぐ）ような場所に位置している。この配設においては、間隙170cが二つの保持壁170の間で貫通孔172に隣接する。図1F〜図1Hと組み合わせて以下でさらに詳細に説明するように、この間隙170cは、マーカー152をベース面160aから係合解除するための孔位置172でのマーカー152へのアクセスを向上させる。
【００４５】
上記では別々に考察してきたが、所望であれば、固定システム150の任意の部分が単一の材料から、かつ／または一体型1ピース構成として作製されてもよい。例えば、フランジ156、装着区域160、ベース面160a（任意の平面部、およびこの平面部とは同一平面上にない他の部分を含む）、側壁160bならびに／または保持壁170を場合によって含むハウジング154が一体型1ピース構成として形成されうる。より具体的な例として、任意の所望の数または組み合わせのこれらの要素が、例えば可撓性ポリマー材料（例えばゴム、TPUなど、場合によっては縫合可能な材料）から成形工程（例えば射出成形）において一体型1ピース構成として形成されうる。
【００４６】
上記のように、この固定組立体は、ゴルフボールマーカー152をハウジングまたはベース部材154に磁気係合させるために使用される。したがって、これらの構成要素のうち少なくとも一つが磁石、例えば永久磁石から作製されるかまたはそれを含むように作製されなければならない。いくつかのより具体的な例として、装着区域160は、（a）装着区域160が、磁石182または強磁性材料を収容するための第一の収容体（有底孔または開放孔でありうる）を画定すること、（b）装着区域160が磁石から少なくとも部分的に作製されること、および／あるいは（c）装着区域160が強磁性材料から少なくとも部分的に作製されること、からなる群より選択される少なくとも一つの特徴を含むように形成されうる。同様に、マーカー152は、（a）マーカー152が、磁石または強磁性材料を収容するための収容体（有底孔または開放孔でありうる）を画定すること、（b）マーカー152が磁石から少なくとも部分的に作製されること、および／あるいは（c）マーカー152が強磁性材料から少なくとも部分的に作製されること、からなる群より選択される少なくとも一つの特徴を含むように形成されうる。この図示される例において、装着区域160は、そこに形成された収容体180を含み、収容体中に磁石182が装着される（例えば接着剤で接着される）。装着区域160が磁石182から作製されるかまたはそれを含む場合、マーカー152は、磁石182に引きつけられる材料から少なくとも部分的に作製されてもよい（但し、この材料が磁石から作製されるかまたはそれを含むこともある）。マーカー152が磁石から作製されるかまたはそれを含む場合、装着区域160は、磁石に引きつけられる材料から少なくとも部分的に作製されてもよい。
【００４７】
所望であれば、磁石182の一つの表面182aは、ハウジング154の外面において露出してもよく、マーカー152が装着されたベース面160aと同一平面上または実質的に同一平面上にあってもよい。他の代替例として、所望であれば、（a）磁石の表面182aがベース面160aの表面の多少下方にあってもよく、（b）磁石182が下側の開口部から装着区域に挿入されてもよく（マーカー152がベース区域160aから取り外される際に磁石182が最終構成において露出しないように）、（c）磁石182が装着区域160の本体内に埋め込まれてもよい。
【００４８】
図1F〜図1Hは、ハウジング154のベース面160a上でのゴルフボールマーカー152の装着および係合解除を示す。ボールマーカーを収容する収容体は、ベース面160a（少なくともその平面部）と、ハウジング154の装着区域160の周りに分散しうる保持壁170の内面170aとによって画定される。円柱（丸形もしくは他の断面形状）またはコインの形状のボールマーカー152が、図1Dおよび図1Gに示すように保持壁170によって、かつ磁気引力によって、ベース面160aに装着され、定位置に保持される。ベース面160aの平面部がマーカー152の十分な区域部分を支持することから、マーカー152はベース面160a上に安定してしっかりと存在し、不注意にまたは故意でない形で容易に取り外されることはない。
【００４９】
ボールマーカー152を装着区域160から取り外すことが望ましい場合、図1Gにおいて力矢印190が示すように、ユーザーは貫通孔172の区域の上方でマーカー152を下向きに押す。マーカー152の側面に対する十分な下向きの力によって、マーカー152は例えば側壁160bの縁部を支点として上向きに回転し、これによりマーカー152の遠端が遠隔の保持壁170の水準を超えて上昇する。図1H参照。保持壁170、特に貫通孔172を有する側面とは反対側に位置する保持壁の短い周囲長および不連続性によって、ユーザーがそれを通じてマーカー152の隆起縁を把握可能なさらなる空間が実現される（例えば、貫通孔172とは反対側のマーカー152の側面における複数の保持壁170間の間隙176によって、ユーザーがマーカー152を掴むためのさらなる空間が実現される）。さらにまたは代わりに、保持壁170の短い周囲長、短い高さおよび不連続性によって、マーカー152はより容易に水平に滑り（図1Hにおいて矢印192により示す）、これもやはりマーカー152を装着区域160から取り外すことに役立ちうる。複数の壁170の間に画定された内周区域170bの内側にボールマーカー152を位置合わせすることで、ボールマーカー152を容易に再係合させることができる（ボールマーカー152と装着区域160との間の磁気引力は、これらの要素を係合させてボールマーカー152を装着区域160に適切に設置することに役立つ）。必要であれば、マーカー152が装着区域160の上方に中心を置くまで、二つ以上の保持壁170の上部に沿ってそれを滑らせてもよい。
【００５０】
本発明の少なくともいくつかの例示的構造において、少なくともいくつか（いくつかの例ではすべて）の個々の保持壁170は、仮想内周170bの長さの15%未満および／またはマーカー152の外周152aの長さの15%未満の周囲長を有する内面170aを有する。少なくともいくつかの個々の保持壁170（いくつかの例ではハウジング内のすべての保持壁170）の内面170aは、仮想内周170bの長さの10%未満および／またはマーカー152の外周152aの長さの10%未満の周囲長を有する。
【００５１】
この種類のボールマーカー固定組立体の多くの変形が、本発明を逸脱することなく可能である。例えば、上記のように、図1A〜図1Hの図示される例においては、マーカー152を保持するための収容体が、装着区域160（例えばベース面160aの平面部を含む）と保持壁170の内面170aとによって画定され、貫通孔172が、この収容体の一部分（装着区域160を通じてフラップ上層126を露出させる）を通じて画定される。装着区域160が貫通孔172を含むことは必須ではない。図2A〜図2C（上記の図1F〜図1Hに類似）はそのようなハウジング254および装着区域260の構成の一例を示す。この例示的ハウジング254において、ベース面260aは依然として平面部を有している（例えばこれらの図の左側）が、一つの縁部において、ベース面260aは下方に転向して傾斜部または湾曲部260bとなる。マーカー152を支持するための平面部から傾斜部または湾曲部260bへの移行位置は、緩やかで滑らかであってもよく、より急であってもよい（例えば明確な縁部を伴って）。この移行は、マーカー152を磁気引力下でしっかりと保持するために十分な支持面が設けられること（例えばベース面260aの平面部が、保持壁170の内面170aによって画定される仮想内周170bの内側の区域の少なくとも70%にわたって広がる場合）を条件として、マーカーの寸法にわたる任意の所望の位置において行われうる。
【００５２】
図2Bおよび図2Cは、例えば図1Gおよび図1Hとの組み合わせで先に図示および説明した様式と類似した様式で行われうる、マーカー152の装着区域260への装着および装着区域260からの取り外しを示す。
【００５３】
他の変形が本発明を逸脱することなく可能である。別の例として、保持壁の数は、図1B〜図1Hに示すように4である必要はない。図3は一例を示す（他の図面において使用されるものと同一の参照番号を図3において使用する場合、同一または同様の部分が表されるものとし、詳細な考察は省略されうる）。より具体的には、図3はハウジング構成354の一部分を示し、ここでは、開口部172から遠隔に（または非同一平面上部分260bから遠隔に）位置する二つの保持壁170が単一の保持壁370（内面370aを有する）で置き換えられており、したがってハウジング354全体は合計三つの保持壁を有する。必須ではないが、この保持壁370は開口部172（または装着区域の非同一平面上部分260b）の直接正反対側に位置してもよく、そこに中心を置いてもよい。また、保持壁370は他の壁170よりも長い内面370aの周囲長を有するものとして示されているが、壁370は壁170（互いに同一のまたは異なる周囲長を有しうる）と同一の長さであってもよく、それより短くてもよい。内面170aおよび370aの全周囲長は、仮想周囲長170bの50%未満およびマーカー外周152aの長さの50%未満（いくつかの例ではこれらの周囲長の40%未満、さらには30%未満）でありうる。
【００５４】
特に、この例示的構造354において、保持壁170および370の内面170aおよび370aは、その連続的延長が「仮想」内周170bを画定するように形づくられており、この仮想内周170bはベース面160aと共に、マーカー152を収容するための収容体を画定する。また、仮想内周170bはマーカー152の外周152aに密接に位置合わせされ、その周りに嵌合される。また、この例示的構造において、二つの保持壁170は、ベース面160aの平面部が開口部172（側壁160b）と接触する位置、またはベース面160aの平面部が非同一平面上部分260bに移行する位置に設けられ、かつその位置をまたぐ。
【００５５】
図4は別の例示的ハウジング構成454を示し、ここでは合計二つの保持壁470（内面470aを有する）が設けられる。上記の他の例と同様に、この例示的構造454において、保持壁470の内面470aは、その連続的延長が「仮想」内周170bを画定するように形づくられており、この仮想内周170bはベース面160aと共に、マーカー152を収容するための収容体を画定する。また、仮想内周170bはマーカー152の外周152aに密接に位置合わせされ、その周りに嵌合される。内面470aの全周囲長は、仮想周囲長170bの50%未満およびマーカー外周152aの50%未満（いくつかの例ではこれらの周囲長の40%未満、さらには30%未満）でありうる。
【００５６】
また、この例示的構造において、二つの保持壁470は、ベース面160aの平面部が開口部172（側壁160b）と接触する位置、またはベース面160aの平面部が非同一平面上部分260bに移行する位置に設けられ、その位置をまたぐ。保持壁470は、互いに対して仮想内周170bおよび／またはマーカー外周152aの周りの正反対の側面に中心を置く必要はない。言い換えれば、一方の側面での二つの壁470の縁部間の間隙は、他方の側面での二つの壁の縁部間の間隙よりも大きくてもよい。本発明を逸脱することなく、壁470は同一のまたは異なるサイズ（例えば周囲長）を有しうる。
【００５７】
図1A〜図4に関する上記の考察において、ゴルフボールマーカーハウジングはゴルフグローブ100の閉鎖システム120のフラップ122に装着されているものとして開示されている。他の配設が本発明を逸脱することなく可能である。例えば、上記のハウジング154、254、354または454は、フラップではなく後パネル、またはゴルフグローブ100の後部分104に装着されてもよい（例えばグローブが上記の種類の閉鎖フラップ122を含まない場合）。さらなる例として、所望であれば、ハウジング154、254、354および454は本発明を逸脱することなく他のゴルフ衣料品または他のゴルフ用品に装着されてもよい（ボールマーカー152がこれらの他の衣料品または用品に固定されうるように）。そのような変形の例を図5〜図9との組み合わせで以下でさらに詳細に説明する。
【００５８】
図5はゴルフ帽（またはバイザー）500を示し、これはバイザー構成要素502と頭係合構成要素504（完全帽（full hat）、頭の周りの全体にわたるバイザーバンド、頭の周りに部分的にわたる素材のバンド、などでありうる）とを含む。この図示される例においては、ハウジング（例えば154、254、354または454）および着脱式ボールマーカー152はバイザー構成要素502の右側および外側に装着されるが、他の位置、例えばバイザー構成要素502の左側、中心、および下面上の任意の所望の位置が可能である。所望であれば、ハウジング（例えば154、254、354または454）およびボールマーカー152を頭係合構成要素504に装着してもよい。帽子500は麦わら帽、つば付き帽、粋な帽子、中折れ帽などを含む任意の所望のスタイルの帽子であることができる。
【００５９】
図6は、ハウジング（例えば154、254、354または454）および着脱式ボールマーカー152が装着されたズボンまたは半ズボン600を示す。この図示される例において、ハウジング（例えば154、254、354または454）およびボールマーカー152は、ゴルファーが容易にそれにアクセス可能なように、ポケット外縁602に沿って装着される。別の代替例として、所望であれば、マーカー152がハウジングから不注意に取り外される際に下方に落ちてポケットに入り、失われないように、ハウジング（例えば154、254、354または454）をポケット構造の内側部分（例えば内縁）に装着することができる。この種類のハウジング（例えば154、254、354または454）は、ズボンまたは半ズボン以外にも、シャツ、雨具、ジャケット、セーター、ウィンドシャツ、ウィンドブレイカーなどの他の衣料品に、場合によってはこれらの衣料品のポケットおよびポケット縁に設けることができる。
【００６０】
図7は、ストラップ702およびバックル部材704を含むベルト700を示し、ここではハウジング（例えば154、254、354または454）および着脱式ボールマーカー152がバックル部材704の外面に装着されている。所望であれば、ハウジング（例えば154、254、354または454）およびボールマーカー152を、バックル部材704に設けるのではなく、例えばベルト700を着用する際に着用者側に位置するようにストラップ702に設けてもよい。ハウジング（例えば154、254、354または454）および着脱式ボールマーカー152は、ズボンまたは半ズボン用のベルト以外にも、他の目的で設けられたベルト、ストラップまたはバックル、例えば、ゴルフバッグをカート（電動カートもしくはプルカート）に固定するためのベルトまたはストラップ、腕時計または腕時計バンドストラップ、などに係合させてもよい。
【００６１】
上記の種類のハウジング（例えば154、254、354または454）および着脱式ボールマーカー152は、本発明の少なくともいくつかの例の履物構造（例えばゴルフシューズ）に組み込まれてもよい。図8は例示的履物800を示し、ここではハウジング（例えば154、254、354または454）および着脱式ボールマーカー152が靴の紐の上方の舌革部802に係合する。代替例として、所望であれば、ハウジング（例えば、154、254、354または454）およびボールマーカー152を靴の上部分804に、例えばヒール側または後側沿い、足の甲の区域内などに設けてもよい。一対の靴の片方または両方に上記の種類のハウジング（例えば154、254、354もしくは454）および／または着脱式ボールマーカー152を備え付けることができる。
【００６２】
本発明の例のハウジング（例えば、154、254、354または454）および着脱式ボールマーカー152は、上記のゴルフグローブ100以外にも他の種類のゴルフ用具に組み込むことができる。図9はディボット修復ツール900を示し、ここでは本発明の例のハウジング（例えば154、254、354または454）および着脱式ボールマーカー152がディボットツールのハンドル部902に組み込まれている（かつディボット修復構成要素904の分離尖状部から遠隔にある）。なおさらなる例として、本発明の例のハウジング（例えば154、254、354または454）および着脱式ボールマーカー152をゴルフ距離測定装置（例えばレーザー距離計、同種類の手首装着型装置を含むGPSベースの装置）、ゴルフバッグ、ゴルフカート（電動または手動）、ゴルフクラブグリップのバットエンド、パターの表面、キャリングケース（例えば携帯電話または他の携帯型電子機器用）、などに組み込むことができる。
【００６３】
本発明の局面は、ゴルフボールマーカーを様々な物品に固定することにおける使用に限定されない。むしろ、本発明の局面は、他の種類の固定システム用に、例えばボタン、スナップ、面ファスナ、および他の種類のコネクタまたはファスナの代替品として使用することができる。図10Aおよび図10Bは例示的物品1000を示し、ここではハウジング（例えば上記の種類の154、254、354または454）が物品1000の一部分1002（例えば、「ボタン留め」または「スナップ留め」されるシャツまたは他の物品の一方の側面）に係合し、解除可能コネクタ1010が物品1000の他の部分1004（例えば、「ボタン留め」または「スナップ留め」されるシャツまたは他の物品の他方の側面）に係合する。ハウジング154、254、354、454は任意の所望の様式で、例えば縫製もしくは縫合、機械的コネクタ、またはセメントもしくは接着剤によって部分1002に係合しうる。解除可能コネクタ1010は、永久にまたは解除可能に接続されるように物品1000の部分1004に係合しうる。この図示される例において、解除可能コネクタ1010は、物品1000の部分1004を通じて伸びる支持要素1012を経由して物品1000の部分1004に永久に係合することで、拡大ヘッドまたは停止部材1014によってそこで接続および保持される。解除可能コネクタ1010の部分1004に対する係合は、この種類の任意の機械的コネクタ（例えばリベット、ねじなど）を経由してもよく、接着剤またはセメントを経由してもよい（この場合、支持要素102および／またはヘッドもしくは停止部材1014を省略してもよい）。別の代替案として、所望であれば、ヘッドまたは停止部材1014を、別のヘッドまたは停止部材1014と交換可能になるように支持要素1012および／または部分1004から取り外し可能にしてもよい。
【００６４】
図10Aおよび図10Bにさらに示すように、解除可能コネクタ1010は固定システム全体において、ボールマーカー152が上記の様々な態様において機能するやり方と同様の様式で機能しうる。これらの図に示すように、コネクタ1010をハウジング（例えば154、254、354または454）から、装着面260aの非同一平面上部分260b側（または上記開口部を含むハウジング内の開口部172）において力（矢印1016に示す）を加えることで解除することができる。この動作によってコネクタ1010の反対側の端部が保持壁170の上部の上方に持ち上げられ、これによりコネクタ1010を容易に滑らせて装着区域260aから外すことが可能になる。複数の壁170の間に画定された内周区域170bの内側にコネクタ1010を位置合わせすることで、コネクタ1010を容易に再係合させることができる（コネクタ1010と装着区域260aとの間の磁気引力は、これらの要素を係合させてコネクタ1010を装着区域260aに適切に設置することに役立つ）。
【００６５】
上記の種類の解除可能コネクタ1010は服飾品での使用に限定されない。図11Aおよび図11Bは、箱、ブリーフケース、手提げ鞄、ハンドバッグ、バッグなどの容器1100を閉鎖するために使用される上記の種類の解除可能コネクタ1010を示す。この図示される例において、容器1100のベース部1102は、それに係合した（例えば機械的コネクタ、縫製または縫合、接着剤などによって）ハウジング（例えば154、254、354、454）を含み、容器1100のフラップ部1104はコネクタ1010（例えば上記の様々な様式のいずれかで係合）を含む。使用時には、図11Aおよび図11Bの比較によって示すように、フラップ1104を容器1100の内側チャンバ1106の上に伸ばすことで容器1100を閉鎖することができ、コネクタ組立体を使用して（図10Aおよび図10Bとの組み合わせで先に一般的に記載の様式でコネクタ要素1010をハウジング154、254、354、454に係合させることで）フラップ1104を定位置に固定することができる。フラップ1104は、内側チャンバ1106の開口部の全体または一部分を覆うように形づくられてもよく、かつ／あるいは、内側チャンバ1106の縁部を超えて容器の側壁の上に伸びるように形づくられてもよい。図10Aおよび図10Bとの組み合わせで先に記載の様式で、解除可能コネクタ1010をハウジング154、254、354、454から解除することができる。
【００６６】
図12A〜図13は、本発明の他の局面の閉鎖および／または固定システムの特徴の例を示す。図12Aおよび図12Bは、本発明のこの例の閉鎖システム1210を含む例示的グローブ構造1200を示す。ゴルフグローブが図示されているが、本開示の利点を考慮すれば、当業者は、本発明のこの局面の特徴が他の種類のグローブに適用可能であり、かつ／または他の種類の閉鎖システムおよび固定システムに使用可能であることを理解するであろう。
【００６７】
図12Aおよび図12Bに示すように、この例示的ゴルフグローブ構造1200は、着用者の手を収容するための開口部1204を含むグローブ部材1202を含む。このグローブ部材1202は、本発明を逸脱することなく任意の所望の材料、任意の所望の数のパーツ、および任意の所望の構成から作製することができる。やはり図12Aおよび図12Bに示すように、この例示的構造1200の開口部1204は横方向下部開口区域1204aおよび縦方向開口区域1204bを含む。グローブ部材1202は、当技術分野において公知であり使用されているゴルフグローブ構成の一般的特徴を含む、グローブ構成に一般的に組み込まれる他の特徴および構造を含みうる。
【００６８】
この例のグローブ1200は、グローブ部材1202に係合した閉鎖システム1210をさらに含む。閉鎖システム1210は、例えば図1A〜図4との組み合わせで先に記載の磁気ボールマーカー固定システムおよびボールマーカーを含みうるが、これが本発明のこの局面のすべての特徴において必須であるわけではない。図12Aおよび図12Bの例示的構造は静的もしくは永久的なロゴまたは他のデザイン要素1212を含む（図12A）が、所望であれば閉鎖システム1210にロゴまたはデザイン要素を設ける必要はない（図12C参照）。
【００６９】
この例示的構造1200の閉鎖システム1210はフラップ構成要素1214を含み、フラップ構成要素は、それと一体的に形成されたまたはそれに係合した面ファスナの第一の部分1216a（例えば「ループ」部）を有する。任意の所望の種類の構成、またはグローブ部材1202との係合を設けることができるが、この図示される例においては、フラップ構成要素1214の第一の縁部1214aが縫製または縫合によって縦方向開口区域1204bの第一の側面上でグローブ部材1202に係合する。図12Aおよび図12Bには直接係合が示されているが、所望であれば、フラップ1214を着用者の手の周りで伸張させてそれを締めつけることができるように、一つまたは複数の弾性部材をフラップ1214の縁部1214aとグローブ部材1202との間に設けてもよい。さらにまたは代わりに、所望であれば、開口部1204bから多少遠隔な位置、例えばグローブ部材1202の前パネルとグローブ部材1202の後パネルとの間の継ぎ目沿いの位置において、フラップ構成要素1214の第一の縁部1214aが縦方向開口区域1204bの第一の側面に係合してもよい。他のフラップ係合の位置、技術および／または構造も本発明を逸脱することなく使用することができる。
【００７０】
フラップ構成要素1214は、第一のまたは係合した縁部1214aとは反対側に位置する自由縁1214bをさらに含む。縁部1214aおよび1214bは平行、直線状、および／または類似形状でありうるが、これは必須ではない。図12Aおよび図12Bの例において、係合縁1214aは相対的に直線状であり、一方、自由縁1214bは少なくともその隅部において多少湾曲している。
【００７１】
この例示的グローブ構造1200の閉鎖システム1210はベース構成要素1218を含み、ベース構成要素は、それに係合したまたはそれと一体的に形成された面ファスナの第二の部分1216bを有する。ベース構成要素1218は、縦方向開口部1204bのフラップ構成要素1214とは反対側でグローブ部材1202（例えばグローブ部材1202の後パネル）に係合する。縫合または縫製、セメントまたは接着剤、融着技術などを含む任意の所望の様式で、本発明を逸脱することなくベース構成要素1218をグローブ部材1202に係合させることができる。
【００７２】
閉鎖システム1210が係合する際のフラップ構成要素1214の自由縁1214bに対応するベース構成要素1218の縁部1218aは、面ファスナの第二の部分1216bを含まない「切欠区域」1220を含む。このようにして、面ファスナの第一および第二の部分1216a、1216bが一緒に係合して縦方向開口部1204bを閉鎖する際に、フラップ構成要素1214の自由縁1214bが切欠区域1220の上に伸びる。所望であれば（かつ図12Aおよび図12Bの例に示すように）、固定される際に面ファスナの第一の部分1216aが面ファスナの第二の部分1216bのどこにも係合しないとしても、切欠区域1220の上に伸びるフラップ構成要素1214の部分は面ファスナのこの第一の部分1216aを依然として含みうる。あるいは、所望であれば、例えば面ファスナの第一の部分1216aを省略してもよく、フラップ構成要素1214の裸の部分のみが切欠区域1220の上に伸びてもよい。
【００７３】
いくつかの従来のグローブ構成、特に、低輪郭面ファスナ要素（例えば薄型面ファスナ）を利用するグローブ構成においては、面ファスナ要素の各パーツが非常に薄いことから、フラップを把握してグローブを取り外すことが困難なことがある。本発明のこの局面のグローブ構成における切欠区域1220は、面ファスナ部分1216aおよび1216bが係合する際にフラップ構成要素1214上に固定されていない把握区域を実現する。この特徴によって、着用者がより容易にフラップ構成要素1214を曲げて把握し、開口部1204を拡大し、グローブ1200を手から取り外すことが可能になる。より具体的には、フラップ構成要素1214の固定されていない部分はフラップ1214の自由縁1214bの一部分を固定されないよう維持するものであり、これにより指がフラップ1214の下をより容易に滑ることでフラップを掴んでベース構成要素1218から引き離すことができる。この切欠区域1220という特徴は、容易に固定可能および解除可能なグローブ構成を依然として実現しながら、グローブ構成における低輪郭または超低輪郭面ファスナの使用を可能にする。面ファスナの第一および第二の部分が一緒に係合する際に3/8インチ厚未満、1/4インチ厚未満、3/16インチ厚未満、さらには1/8インチ厚未満という全厚を有する面ファスナを、本発明のこの局面の少なくともいくつかの例示的構造において使用することができる。
【００７４】
切欠区域1220は、本発明を逸脱することなく任意の所望の形状を取りうる。この図示される例において、切欠区域1220を実現するベース構成要素1218の縁部1218a（またはこの縁部1218aの少なくとも一部分）は、滑らかに湾曲することで切欠区域1220を形成する。面ファスナの第二の部分1216bの対応する縁部も、縁部1218aの曲線に対応するように湾曲している。したがって、グローブ部材1202の後パネルはこの例示的構造1200の切欠区域1220の内側で露出している。他の配設も可能である。例えば、縁部1218aおよび切欠区域1220は、本発明のこの局面を逸脱することなく、相対的に滑らかな曲線ではなく、より直角な隅部を伴ってかつ／またはより角張って形成されてもよい。
【００７５】
この例示的構造1200において、ベース構成要素1218の縁部1218aの上部分1224aおよび下部分1224bは、フラップ構成要素1214の自由縁1214bが切欠区域1220においてベース構成要素1218の縁部1218aを超えて伸びている間に、完全にフラップ構成要素1214の自由縁1214bの下にありかつそれに係合する程度に外向きに（グローブ1200の親指側に向かって）伸びる。この特徴は、不注意に掴まれかねないフラップ構成要素1214の固定されていない隅部が存在しないことから、フラップ構成要素1214をベース構成要素1218に固定したまま維持することに役立つ（例えばグローブを付けた手をポケットに入れるおよび／またはポケットから取り出す際に）。むしろ、フラップ構成要素1214の上隅部および下隅部は固定されており、切欠区域1220は、フラップ構成要素1214をよりよく解放させるための中心把握区域を実現する。
【００７６】
上記のしっかりとした接続をよりよく維持するために、この図示されるグローブ構造1200においては、面ファスナの第一の部分1216aは、それが固定されるフラップ構成要素1214の主面の少なくとも90%（いくつかの例では少なくとも95%、さらには少なくとも98%）を覆う。さらにまたは代わりに、所望であれば、面ファスナのこの第一の部分1216aはちょうどフラップ構成要素1214の自由縁1214b（および他のその縁部）まで、かつそれに沿って広がってもよい。同様に、この例1200の面ファスナの第二の部分1216bはベース構成要素1218の主面の少なくとも90%（いくつかの例では少なくとも95%、さらには少なくとも98%）を覆う。さらにまたは代わりに、所望であれば、面ファスナのこの第二の部分1216bはちょうどベース構成要素1218の縁部1218a（および他のその縁部）まで、かつそれに沿って広がってもよい。この図示される例1200において、切欠区域1220はベース構成要素1218の縁部1218aの内向きの延長（例えば内向きの湾曲）によって画定される。
【００７７】
図12Aにさらに示すように、本発明のこの局面の改善された把握特徴をさらに強化するために、把握要素1222をフラップ構成要素1214に、場合によっては切欠区域1220の上方に設けることができる。把握要素1222は、本発明を逸脱することなく、隆起リブ（例えばゴム型材料でできているもの）、複数の隆起リブまたは他の構造、一つまたは複数の陥凹溝、他の陥凹構造、などを含む任意の所望の構成を取りうる。さらにまたは代わりに、所望であれば、一つまたは複数の把握要素を切欠区域1220近傍のフラップ構成要素1214の下面に設けてもよい。
【００７８】
図12Cは、本発明のこの局面の別の例示的グローブ構造1250の後面図を示す。図12Cに示すグローブ構造1250は図12Aおよび図12Bに示すグローブ構造と同様である（同様の参照番号を同一または同様のパーツに使用する）が、フラップ1214はロゴ要素1212を含まず、任意的な把握要素1222は多少異なった構成を有する（ゴム型材料でできた小さな隆起円柱体）。図12Cはさらに、面ファスナ部分1216aおよび1216bが係合する際の切欠区域1220の位置ならびにフラップ構成要素1214およびベース構成要素1218の相対位置をよりよく図示するために、ベース構成要素1218（示される図ではフラップ構成要素1214によって覆われている）を破線で示す。
【００７９】
図13は、本発明のこの局面の別の例示的グローブ構造1300の後面図を示す。図13に示すグローブ構造1300は図12A〜図12Cに示すグローブ構造と同様である（同様の参照番号を同一または同様のパーツに使用する）が、このグローブ構造1300においてはベース構成要素1318が多少異なっている。より具体的には、図示するように、面ファスナの第二の部分1216bが係合するベース構成要素1318は、切欠区域1220を通じて伸びる外縁1318aを有する。したがって、この例示的構造において、切欠区域1220は、ベース構成要素1318を含むが面ファスナの第二の部分1216bを含まない。また、必須ではないが、ベース構成要素1318はフラップ構成要素1214と概して同一のサイズおよび形状を有する（例えば、係合する際にフラップ構成要素1214がベース構成要素1318を実質的に覆うように）。この構造は、面ファスナの第一の部分1216aが面ファスナの第二の部分1216bに係合しない把握用切欠区域1220を依然として作り出す（例えば、面ファスナの第二の部分1216bが切欠縁1216cを有する一方、ベース構成要素の縁部1318cは切欠を有さない）。
【００８０】
この例示的構造1300において、面ファスナの第一の部分1216aはフラップ構成要素1214の主面の少なくとも90%（いくつかの例では少なくとも95%、さらには少なくとも98%）を覆い、面ファスナの第二の部分1216bはベース構成要素1318の主面の95%未満（いくつかの例では90%未満、さらには85%未満）を覆う。さらにまたは代わりに、面ファスナの第一の部分1216aはちょうどフラップ構成要素1214の自由縁1214b（および他のその縁部のいずれか）までかつそれに沿って広がり、面ファスナの第二の部分1216bはちょうどベース構成要素1318の縁部1318aの上部分1324aおよびちょうどベース構成要素1318の縁部1318aの下部分1324bまで広がりうるが、面ファスナの第二の部分1216bは上部分1324aと下部分1324bとの間の縁部1318aの一部分においてベース構成要素1318の縁部1318aに広がらないことで切欠区域1220を画定する。この図示される例1300において、切欠区域1220は面ファスナの第二の部分1216bの外縁の内向きの延長（例えば内向きの湾曲）によって画定される。
【００８１】
図12A〜図13の切欠区域1220という特徴は、本発明を逸脱することなくグローブ以外の構造に適用可能である。例えば、この種類の固定システムは、面ファスナ配設を利用する任意の種類の閉鎖要素または固定システムで利用可能である。より具体的な例としては衣料品、履物、スポーツ用具、バッグ、容器、ケース、ボタンまたはスナップの代替品としての固定システム、などが挙げられる。また、図示および考察されたグローブは運動競技用グローブ（特にゴルフグローブ）であるが、これらのグローブの様々な局面に関して開示される概念は、バッティンググローブ、フットボールグローブ、ウェイトリフティンググローブ、および他のスポーツ用のグローブを含むがそれに限定されない広範な運動競技用グローブ構造に適用可能である。さらに、本発明の少なくともいくつかの概念および局面は、ガーデニンググローブ、庭仕事用グローブ、清掃用グローブ、作業用グローブ、および他の活動用のグローブを含む広範な非運動競技用グローブに適用可能である。なおさらには、本明細書に開示される概念は他の手収容装置または手収容構造、例えば部分的グローブ、保護用ハンドシースおよび／または手動リモートコントローラ、ビデオゲームなどのゲームをプレイすることに使用するための手収容装置、などに適用可能である。したがって、本発明は、本明細書に開示される態様に厳密に限定されないだけでなく、グローブおよび手収容装置に一般的に適用される。
【００８２】
III. 結語
本発明は、上記および添付図面において、多様な態様を参照して開示される。しかし、本開示の目的は、本発明に関連する様々な特徴および概念の一例を示すことであり、本発明の範囲を限定することではない。関連技術分野の当業者は、添付される特許請求の範囲が定義する本発明の範囲を逸脱することなく、数多くの変形および修正を上記の態様に加えることができると認識するであろう。
【図１Ａ】
0006034955.tif 000002
【図１Ｂ】
0006034955.tif 000003
【図１Ｃ】
0006034955.tif 000004
【図１Ｄ】
0006034955.tif 000005
【図１Ｅ】
0006034955.tif 000006
【図１Ｆ】
0006034955.tif 000007
【図１Ｇ】
0006034955.tif 000008
【図１Ｈ】
0006034955.tif 000009
【図２】
0006034955.tif 000010
【図３】
0006034955.tif 000011
【図４】
0006034955.tif 000012
【図５】
0006034955.tif 000013
【図６】
0006034955.tif 000014
【図７】
0006034955.tif 000015
【図８】
0006034955.tif 000016
【図９】
0006034955.tif 000017
【図１０】
0006034955.tif 000018
【図１１】
0006034955.tif 000019
【図１２Ａ】
0006034955.tif 000020
【図１２Ｂ】
0006034955.tif 000021
【図１２Ｃ】
0006034955.tif 000022
【図１３】
0006034955.tif 000023